(57)【要約】【課題】腕に装着されていない状態においても使いやすい腕装着型の電子機器を提供すること。【解決手段】腕時計１（腕装着型の電子機器）は、一対の基板間に電気泳動粒子を含む電気泳動素子を挟持し、少なくとも第１色と第２色を表示可能な画素を有する表示部４を備えた本体部と、本体部を挟んで前記本体部と連結された１つ又は一対のバンド３と、を備え、バンド３の長手方向を第１方向１００１、第１方向１００１と直交する方向を第２方向１００２とした場合に、表示部４は、上端と下端とが第１方向１００１に離間した第１文字を含む第１画像を表示する第１モードと、上端と下端とが第２方向１００２に離間した第２文字を含む第２画像を表示する第２モードと、を有する。【選択図】図１Ｂ
2015138119.tif 000002
【特許請求の範囲】
【請求項１】
電気泳動素子を含む表示部を備えた本体部と、
前記本体部を挟んで前記本体部と連結されたバンドと、
を備え、
前記バンドの長手方向を第１方向、前記第１方向と直交する方向を第２方向とした場合
に、
前記表示部は、
文字の上下方向が前記第１方向に沿った第１文字を含む第１画像を表示する第１モード
と、
文字の上下方向が前記第２方向に沿った第２文字を含む第２画像を表示する第２モード
と、
を有する、腕装着型の電子機器。
【請求項２】
請求項１に記載の腕装着型の電子機器において、
前記表示部は、
前記第１モードにおいて、前記第１方向と、前記第１文字の上下方向とのなす角が、０
度以上４５度以下である前記第１画像を表示し、
前記第２モードにおいて、前記第２方向と、前記第２文字の上下方向とのなす角が、０
度以上４５度以下である前記第２画像を表示する、腕装着型の電子機器。
【請求項３】
請求項１又は２に記載の腕装着型の電子機器において、
前記本体部は、温度センサーをさらに備え、
前記第２モードにおいて、前記表示部は、前記第２文字と、前記温度センサーで検出し
た温度に関する情報を含む第３画像を表示する、腕装着型の電子機器。
【請求項４】
請求項１又は２に記載の腕装着型の電子機器において、
前記表示部は、前記第１モードから前記第２モードへ切り替えてから所定時間が経過し
た後に、前記第３画像を表示する、腕装着型の電子機器。
【請求項５】
請求項１ないし４のいずれか１項に記載の腕装着型の電子機器において、
前記本体部は、操作を受け付ける操作部をさらに備え、
前記表示部は、前記操作部が受け付ける前記操作に基づいて、前記第１モードと前記第
２モードとを切り替える、腕装着型の電子機器。
【請求項６】
請求項１ないし３のいずれか１項に記載の腕装着型の電子機器において、
前記本体部は、慣性センサーをさらに備え、
前記表示部は、前記慣性センサーの検出結果に基づいて、前記第１モードと前記第２モ
ードとを切り替える、腕装着型の電子機器。
【請求項７】
請求項１ないし６のいずれか１項に記載の腕装着型の電子機器において、
前記バンドには、前記上下方向が前記第２方向に沿った第３文字が表示されており、
前記第２モードにおいて、前記表示部は、上向きが前記第３文字の上向きに沿った前記
第２文字を表示する、腕装着型の電子機器。
【請求項８】
電気泳動素子を含む表示部を備えた本体部と、
前記本体部を挟んで前記本体部と連結されたバンドと、
を備え、
前記バンドの長手方向を第１方向、前記第１方向と直交する方向を第２方向とした場合
に、
前記表示部は、
第１画像を表示する第１モードと、
第２画像を表示する第２モードと、
を有し、
前記第１モードにおいて、前記第１方向と、前記第１画像の上下方向とのなす角が、０
度以上４５度以下であり、
前記第２モードにおいて、前記第２方向と、前記第２画像の上下方向とのなす角が、０
度以上４５度以下である、腕装着型の電子機器。
【発明の詳細な説明】
【技術分野】
【０００１】
本発明は、腕装着型の電子機器に関する。
【背景技術】
【０００２】
腕装着型の電子機器には、腕時計や歩数計、ＧＰＳ装置、小型コンピューターなど様々
なものがある。これらの腕装着型の電子機器は、基本的に左右どちらの腕にも装着可能で
ある。また、例えば腕時計に代表されるように、手首の内側及び外側のどちらに向けても
装着可能であるのが通常である。
【０００３】
一般的な電子機器は上下の向きが定まっているため、上下の向きを逆にして装着すると
、上下逆に表示されてしまう。そこで、上下逆に装着した場合の対応策として、特許文献
１には、腕に対する装着向きを加速度センサーの検出結果に基づいて判別して、表示向き
を制御する腕装着型の電子機器が開示されている。
【先行技術文献】
【特許文献】
【０００４】
【特許文献１】特開２０１３−６１１７６号公報
【発明の概要】
【発明が解決しようとする課題】
【０００５】
しかしながら、特許文献１においても、腕装着型の電子機器が腕に装着されていない状
態については、何ら考慮されていなかった。
【０００６】
本発明は、以上のような問題点に鑑みてなされたものであり、本発明のいくつかの態様
によれば、腕に装着されていない状態においても使いやすい腕装着型の電子機器を提供す
ることができる。
【課題を解決するための手段】
【０００７】
本発明は前述の課題の少なくとも一部を解決するためになされたものであり、以下の態
様又は適用例として実現することが可能である。
【０００８】
［適用例１］
本適用例に係る腕装着型の電子機器は、電気泳動素子を含む表示部を備えた本体部と、
前記本体部を挟んで前記本体部と連結されたバンドと、を備え、前記バンドの長手方向を
第１方向、前記第１方向と直交する方向を第２方向とした場合に、前記表示部は、文字の
上下方向が前記第１方向に沿った第１文字を含む第１画像を表示する第１モードと、文字
の上下方向が前記第２方向に沿った第２文字を含む第２画像を表示する第２モードと、を
有する、腕装着型の電子機器である。
【０００９】
本適用例によれば、例えば、第１モードでは腕に装着された状態で見やすい表示にする
ことができ、第２モードでは腕に装着されていない状態（例えば、バンドを丸めて平面上
に腕に装着された場合に対して表示部が横向きになるように置いた場合など）で見やすい
表示にすることができる。したがって、腕に装着されていない状態においても使いやすい
腕装着型の電子機器を実現できる。
【００１０】
［適用例２］
上述の適用例に係る腕装着型の電子機器において、前記表示部は、前記第１モードにお
いて、前記第１方向と、前記第１文字の上下方向とのなす角が、０度以上４５度以下であ
る前記第１画像を表示し、前記第２モードにおいて、前記第２方向と、前記第２文字の上
下方向とのなす角が、０度以上４５度以下である前記第２画像を表示してもよい。
【００１１】
本適用例によれば、例えば、第１モードでは腕に装着された状態で見やすい表示にする
ことができ、第２モードでは腕に装着されていない状態（（例えば、バンドを丸めて平面
上に腕に装着された場合に対して表示部が横向きになるように置いた場合など）で見やす
い表示にすることができる。したがって、腕に装着されていない状態においても使いやす
い腕装着型の電子機器を実現できる。
【００１２】
［適用例３］
上述の適用例に係る腕装着型の電子機器において、前記本体部は、温度センサーをさら
に備え、前記第２モードにおいて、前記表示部は、前記第２文字と、前記温度センサーで
検出した温度に関する情報を含む第３画像を表示してもよい。
【００１３】
腕装着型の電子機器が腕に装着された状態では、体温の影響が大きいので、周囲環境の
温度を適切に表示することは難しい。本適用例によれば、腕に装着されていない時に温度
を表示するので、第１モードで温度を表示する場合と比較して、周囲環境の温度を適切に
表示できる。
【００１４】
［適用例４］
上述の適用例に係る腕装着型の電子機器において、前記表示部は、前記第１モードから
前記第２モードへ切り替えてから所定時間が経過した後に、前記第３画像を表示してもよ
い。
【００１５】
腕装着型の電子機器が腕に装着された状態では、体温の影響が大きいので、周囲環境の
温度を適切に表示することは難しい。本適用例によれば、腕に装着されていない状態とな
ってから所定時間を経過した後に温度を表示するので、周囲環境の温度をより適切に表示
できる。
【００１６】
［適用例５］
上述の適用例に係る腕装着型の電子機器において、前記本体部は、操作を受け付ける操
作部をさらに備え、前記表示部は、前記操作部が受け付ける前記操作に基づいて、前記第
１モードと前記第２モードとを切り替えてもよい。
【００１７】
本適用例によれば、慣性センサーなどの検出結果に基づいて第１モードと第２モードと
を切り替える場合に比べて、低消費電力で実現できる。また、ユーザーが希望するときに
第１モードと第２モードとを切り替えて表示させることができる。
【００１８】
［適用例６］
上述の適用例に係る腕装着型の電子機器において、前記本体部は、慣性センサーをさら
に備え、前記表示部は、前記慣性センサーの検出結果に基づいて、前記第１モードと前記
第２モードとを切り替えてもよい。
【００１９】
本適用例によれば、ユーザーの操作に基づいて第１モードと第２モードとを切り替える
場合に比べて、ユーザーの操作を減らすことができる。
【００２０】
［適用例７］
上述の適用例に係る腕装着型の電子機器において、前記バンドには、前記上下方向が前
記第２方向に沿った第３文字が表示されており、前記第２モードにおいて、前記表示部は
、上向きが前記第３文字の上向きに沿った前記第２文字を表示してもよい。
【００２１】
本適用例によれば、第２モードにおいて、バンドの第３文字の上向きと表示部の第２文
字の上向きが沿った方向となるので、第２モードにおける腕時計の見栄えをさらに良くす
ることができる。
【００２２】
［適用例８］
本適用例に係る腕装着型の電子機器は、電気泳動素子を含む表示部を備えた本体部と、
前記本体部を挟んで前記本体部と連結されたバンドと、を備え、前記バンドの長手方向を
第１方向、前記第１方向と直交する方向を第２方向とした場合に、前記表示部は、第１画
像を表示する第１モードと、第２画像を表示する第２モードと、を有し、前記第１モード
において、前記第１方向と、前記第１画像の上下方向とのなす角が、０度以上４５度以下
であり、前記第２モードにおいて、前記第２方向と、前記第２画像の上下方向とのなす角
が、０度以上４５度以下である、腕装着型の電子機器である。
【００２３】
本適用例によれば、例えば、第１モードでは腕に装着された状態で見やすい表示にする
ことができ、第２モードでは腕に装着されていない状態（例えば、バンドを丸めて平面上
に腕に装着された場合に対して表示部が横向きになるように置いた場合など）で見やすい
表示にすることができる。したがって、腕に装着されていない状態においても使いやすい
腕装着型の電子機器を実現できる。
【図面の簡単な説明】
【００２４】
【図１Ａ】本実施形態の電子時計の外観図。
【図１Ｂ】本実施形態の電子時計の外観図。
【図２】本実施形態の電気泳動表示装置の機能ブロック図。
【図３】本実施形態の表示部及び描画ＩＣの構成を示す図。
【図４】本実施形態の画素の回路構成図。
【図５】図５（Ａ）は電気泳動素子の構成例を示す図。図５（Ｂ）、図５（Ｃ）は電気泳動素子の動作の説明図。
【図６】本実施形態における表示部の画像を更新する方法の説明図。
【図７】表示部４の表示モードの遷移を示す図。
【図８】図８（Ａ）は、第１モードにおける表示例を示す図、図８（Ｂ）は、第２モードにおける表示例を示す図。
【図９】図９（Ａ）は、第１モードにおける他の表示例を示す図、図９（Ｂ）は、第２モードにおける他の表示例を示す図。
【図１０】図１０（Ａ）は、第１モードにおける他の表示例を示す図、図１０（Ｂ）は、第２モードにおける他の表示例を示す図。
【図１１】第３モードにおける表示例を示す図。
【発明を実施するための形態】
【００２５】
以下、本発明の好適な実施形態について図面を用いて詳細に説明する。用いる図面は説
明の便宜上のものである。なお、以下に説明する実施の形態は、特許請求の範囲に記載さ
れた本発明の内容を不当に限定するものではない。また以下で説明される構成の全てが本
発明の必須構成要件であるとは限らない。
【００２６】
１．腕装着型の電子機器の概要
腕装着型の電子機器には、腕時計や歩数計、ＧＰＳ装置、小型コンピューターなど様々
なものがある。以下では、腕装着型の電子機器の一例としての腕時計１について説明する
。
【００２７】
図１Ａは本実施形態の腕時計１の外観図であり、腕時計１を表示部４に垂直かつ表示部
４を視認可能な方向（正面）からみた平面図である。図１Ｂは本実施形態の腕時計１の外
観図であり、バンド３を丸めて平面上に横向きに置いた状態での腕時計１を表示部４に垂
直な方向（正面）からみた平面図である。なお、図１Ａには後述される第１モードである
場合が示されており、図１Ｂには後述される第２モードである場合が示されている。
【００２８】
本実施形態に係る腕時計１は、表示部４を備えた本体部と、本体部を挟んで本体部と連
結された１つ又は一対のバンド３と、を備えて構成されている。
【００２９】
図１に示すように、本実施形態の腕時計１は、時計ケース２（本体部の一部に相当する
）や時計ケース２に連結された一対のバンド３等を備える。
【００３０】
時計ケース２の正面には、電気泳動表示（ＥＰＤ：Electrophoretic Display）パネル
で構成された表示部４が設けられ、時計ケース２の側面（正面の方向に対して垂直な方向
）には、操作ボタンＡ（５ａ）と操作ボタンＢ（５ｂ）（操作を受け付ける操作部の一例
）とが設けられている。操作ボタンＡ（５ａ）及び操作ボタンＢ（５ｂ）は、時計ケース
２の凹部の内側に設けられている。操作ボタンＡ（５ａ）及び操作ボタンＢ（５ｂ）の高
さは、凹部の深さよりも低いことが好ましい。これによって、時計ケース２の側面（操作
ボタンＡ（５ａ）又は操作ボタンＢ（５ｂ）が設けられた面）を下にして置いた場合の安
定性が高まる。なお、操作ボタンＡ（５ａ）及び操作ボタンＢ（５ｂ）は、例えば、タッ
チパネルを用いて構成されていてもよい。
【００３１】
操作ボタンＡ（５ａ）又は操作ボタンＢ（５ｂ）の押下操作（入力操作）に応じて、表
示部４には各種の画像、例えば、操作ボタンＡ（５ａ）又は操作ボタンＢ（５ｂ）が操作
を受け付けた時刻からの経過時間、１分毎あるいは１秒毎に更新される時刻情報を含む各
種の画像、時刻修正用の画像等が表示される。
【００３２】
時計ケース２の内部には、表示部４と表示部４を駆動する駆動装置（不図示）と操作部
が操作を受け付けた時刻からの経過時間を計時する計時部（不図示）とを備えた電気泳動
表示装置（表示部４以外は不図示）が設けられている。
【００３３】
なお、図１Ａ及び図１Ｂにおいて、バンド３の長手方向（図１Ａにおける上下方向、図
１Ｂにおける左右方向）が第１方向１００１、第１方向１００１及び正面の方向と直交す
る方向（図１Ａにおける左右方向、図１Ｂにおける上下方向）が第２方向１００２である
。すなわち、腕時計１の本体部（本実施形態では、時計ケース２と表示部４とを含む）の
第１方向１００１における両側に、バンド３が連結されている。なお、図１Ａにおける上
向き及び図１Ｂにおける右向きを第１方向１００１の正の向き、図１Ａにおける右向き及
び図１Ｂにおける下向きを第２方向１００２の正の向きとする。
【００３４】
バンド３には、上下方向が第２方向１００２に沿った文字または画像の少なくとも１つ
が表示されていてもよい。図１Ｂでは、操作ボタンＡ（５ａ）の側（図１Ｂの第２方向１
００２の負の向き）が上向きとなる第３文字３０３（文字「ＸＹＺ」）が、例えば、印刷
、刻印などによって表示されている。文字及び画像上下方向は、例えば、文字及び画像し
て通常認識される上下方向である。このような文字の例として、図１Ａ及び図１Ｂには、
「ＸＹＺ」の文字がバンド３に表示されている。これによって、腕時計１を平面上に置く
場合に、操作ボタンＡ（５ａ）を上にして置くようにユーザーを誘導することができる。
【００３５】
詳細については後述するが、図１Ａの表示部４には、上下方向が第１方向１００１に沿
った文字（数字）で、時刻が表示されている。図１Ｂの表示部４には、上下方向が第２方
向１００２に沿った文字（数字）で、時刻が表示されている。図１Ｂの時刻の表示は、数
字の上向きが、バンド３の文字の上向きに沿った表示となっている。表示部４の文字とバ
ンド３の文字（第３文字３０３）の上向きを揃える（上下を互いに逆にしない）ことで、
腕時計１を平面上に置く場合に違和感が少なく、バンド３も含めた見栄えが良好になる。
なお、デザインとして、表示部４とバンド３の文字の上方向を逆にすることも可能である
。
【００３６】
２．電気泳動表示装置の構成
図２は、本実施形態の腕時計１が備える電気泳動表示装置７の機能ブロック図である。
図２に示すように、本実施形態の腕時計１が備える電気泳動表示装置７は、表示部４（図
１参照）と駆動装置６とを有し、駆動装置６は、演算ＩＣ（Integrated Circuit）１０、
リアルタイムクロック（ＲＴＣ：Real Time Clock）ＩＣ２０、描画ＩＣ３０、温度計測
ＩＣ４０、リセットＩＣ５０及び慣性センサー７０を備えている。後述するように、本実
施形態では、これらのＩＣ及び表示部４の低消費電力化を実現することで、電気泳動表示
装置７は、ボタン電池等の小容量の一次電池６０でも数年間動作を継続するように構成さ
れている。ただし、電気泳動表示装置７は、充電可能な電池（二次電池）で動作するよう
に構成されていてもよい。
【００３７】
本実施形態では、演算ＩＣ１０は、書き換え可能なフラッシュＲＯＭ１２が内蔵された
汎用性の高いマイクロコンピューターユニット（ＭＣＵ）を用いて実現されており、フラ
ッシュＲＯＭ１２に記憶されているプログラムやデータに従って動作する。従って、フラ
ッシュＲＯＭ１２に記憶されるプログラムやデータを書き換えることで、演算ＩＣ１０の
機能を容易に変更可能である。また、演算ＩＣ１０が内蔵されたムーブメント（時計の駆
動装置）の状態でプログラムやデータを書き換えることもできるので、プログラム変更に
も容易に対応することができる。
【００３８】
演算ＩＣ１０は、操作ボタンＡ（５ａ）及び操作ボタンＢ（５ｂ）の押下操作（入力操
作）に応じて、表示部４に表示する画像の種類、モード及び複数のモードの組み合わせを
判断する処理を行う。演算ＩＣ１０が判断するモードは、例えば、表示モードとして、後
述される第１モード、第２モード及び第３モード、時刻を修正するための時刻修正モード
等がある。また、演算ＩＣ１０が判断するモードは、例えば、動作モードとして、１分毎
に更新される時刻を含む画像が表示部４に表示される分更新モード、１秒毎に更新される
時刻を含む画像が表示部４に表示される秒更新モード等がある。
【００３９】
演算ＩＣ１０は、例えば、分更新モード、秒更新モードでは、リアルタイムクロックＩ
Ｃ２０から日付や時刻等の時刻情報を取得し、表示部４に表示する内容を決定する処理を
行い、時刻修正モードでは、操作ボタンＡ（５ａ）及び操作ボタンＢ（５ｂ）の押下操作
（入力操作）に応じた時刻修正値をリアルタイムクロックＩＣ２０に送信する処理を行う
。
【００４０】
フラッシュＲＯＭ１２には、表示部４に表示されている画像を消去するためのマクロ命
令（画像消去のマクロ命令）や表示部４に新規画像を描画するためのマクロ命令（新規画
像描画のマクロ命令）が記憶されている。演算ＩＣ１０は、所定のタイミングで、フラッ
シュＲＯＭ１２から所望のマクロ命令を読み出し、描画ＩＣ３０に送信する処理を行う。
【００４１】
また、演算ＩＣ１０は、描画ＩＣ３０から表示部４に画像データを転送させる処理や描
画ＩＣ３０に表示部４を駆動させる処理を行う。また、演算ＩＣ１０は、表示部４を駆動
するための基準信号（例えば４ｋＨｚ）を描画ＩＣ３０に供給する。
【００４２】
また、演算ＩＣ１０は、リセットＩＣ５０からリセット信号が供給された時に、例えば
強制的に時刻修正モードにするなどの初期化処理を行う。
【００４３】
また、演算ＩＣ１０は、温度計測ＩＣ４０や描画ＩＣ３０に電力を供給する処理、温度
計測ＩＣ４０から温度計測値を読み出す処理、読み出した温度計測値に基づいて表示部４
の駆動パルスの印加時間や印加タイミングを決定する処理を行う。
【００４４】
また、演算ＩＣ１０は通常動作モードとスリープモードとを有しており、通常動作モー
ドでは演算ＩＣ１０に内蔵の発振回路（例えば、コンデンサーＣ（Capacitor）と抵抗Ｒ
（Resistor）で構成されたＣＲ発振回路）が出力するクロック信号に同期して動作し、ス
リープモードでは発振回路が停止して通常動作モードよりも低消費電力となる。低消費電
力化を実現するために、演算ＩＣ１０は、表示部４の表示を更新するための処理（上記の
各処理）を行う時は通常動作モードで動作し、何も処理を行わない時は、現在のモード情
報や使用中のデータを演算ＩＣ１０に内蔵のＲＡＭ（Random Access Memory）（不図示）
に退避し、スリープモードで待機する。例えば、分更新モードや絵巻モードが選択されて
いる場合、演算ＩＣ１０は、通常動作モードの時に、表示部４に表示させる画像の描画情
報（マクロ命令）を描画ＩＣ３０に送信し、リアルタイムクロックＩＣ２０が有するタイ
マー２２に計測を開始させた後、スリープモードに移行する。また、演算ＩＣ１０は、ス
リープモードの時に、リアルタイムクロックＩＣ２０からタイマー２２の所定時間を計測
したこと（計測終了）を示す割り込み信号ＩＮＴ（計測終了信号）を受信して通常動作モ
ードに移行する。
【００４５】
この他、演算ＩＣ１０は、温度計測ＩＣ４０から温度計測値を読み出して正常動作可能
な高温限界または低温限界に達したか否かを判断する処理や、一次電池６０の電圧値を監
視して低電圧限界に達したか否かを判断する処理等を行ってもよい。
【００４６】
本実施形態では、演算ＩＣ１０は、あらかじめフラッシュＲＯＭ１２に記憶されている
プログラムを実行することで各処理を行うが、ネットワークに接続されたサーバーからネ
ットワークを介してプログラムを受信し、当該プログラムを内部メモリーに記憶させて実
行するようにしてもよい。また、腕時計１を、メモリーカード等の情報記憶媒体を接続可
能に構成し、演算ＩＣ１０が当該情報記憶媒体に記憶されているプログラムを実行するこ
とで各処理を行うようにしてもよい。
【００４７】
リアルタイムクロックＩＣ２０（計時部の一例）は、水晶振動子２４を発振させて例え
ば３２，７６８ｋＨｚの発振信号を生成し、この発振信号を分周したクロック信号で秒、
分、時等の時刻や日、月、年等の日付を計時し、秒、分、時、日、月、年等を含む時刻情
報を生成する。この時刻情報は、リアルタイムクロックＩＣ２０が内蔵するレジスター（
不図示）に格納され、リアルタイムクロックＩＣ２０は、演算ＩＣ１０からの要求に応じ
て、レジスターに格納されている一部又は全部の時刻情報を演算ＩＣ１０に送信する。
【００４８】
また、リアルタイムクロックＩＣ２０は、演算ＩＣ１０からの要求に応じて、タイマー
２２の計測を開始し、タイマー２２の計測が終了すると演算ＩＣ１０に割り込み信号ＩＮ
Ｔ（計測終了信号）を送信する。タイマー２２が計測する時間は、一定時間であってもよ
いし、演算ＩＣ１０により指定された時間であってもよい。
【００４９】
描画ＩＣ３０は、演算ＩＣ１０からの画像消去のマクロ命令に応じて、現在の画像を消
去するための画像データを描画ＩＣ３０に内蔵するＶＲＡＭ（Video RAM）３４に展開す
る処理や、演算ＩＣ１０からの新規画像描画のマクロ命令に応じて、新規画像を表示する
ための画像データをＶＲＡＭ上に展開する処理を行う。また、描画ＩＣ３０は、表示部４
に電力を供給し、ＶＲＡＭ３４に展開した画像データを表示部４に転送する処理、描画Ｉ
Ｃ３０に内蔵する昇圧回路３６で外部電源電圧（例えば５Ｖ）を昇圧した高電圧（例えば
１５Ｖ）の駆動パルスを生成し、表示部４を駆動する処理を行う。
【００５０】
描画ＩＣ３０が内蔵するフラッシュＲＯＭ３２には、表示部４に表示される画像のパー
ツデータ（例えば、図１の表示を行うための「１」、「２」、「３」、「４」、「：」等
のパーツデータ）、背景データ等が記憶されている。演算ＩＣ１０から送信される画像消
去のマクロ命令や新規画像描画のマクロ命令には、描画すべきパーツデータとその座標（
各パーツデータの原点を配置すべき座標）の情報あるいは描画すべき背景データの情報等
が含まれている。描画ＩＣ３０は、画像消去のマクロ命令や新規画像描画のマクロ命令に
従い、フラッシュＲＯＭ３２に記憶されているパーツデータを読み出し、選択した各パー
ツを表示部４の表示領域の表示すべき座標に対応するＶＲＡＭ３４のアドレスに書き込み
、あるいは、フラッシュＲＯＭ３２に記憶されている背景データを読み出してＶＲＡＭ３
４の所定のアドレスに書き込む。
【００５１】
また、描画ＩＣ３０は、演算ＩＣ１０から供給される基準信号（例えば４ｋＨｚ）を用
いて、駆動パルスの印加（送信）タイミングやパルス幅を調整する。また、描画ＩＣ３０
は、ＣＲ発振回路等の発振回路（不図示）を内蔵し、この発振回路により比較的高い周波
数（例えば４００ｋＨｚ）のクロック信号を生成し、駆動パルスの生成処理を除く上記の
各処理を行う。このように、描画ＩＣ３０が、内蔵の発振回路により生成されるクロック
信号よりも周波数が十分低い基準信号（例えば４ｋＨｚ）を用いて駆動パルスの印加（送
信）タイミングやパルス幅を調整することで、低消費電力化を図ることができる。
【００５２】
なお、分更新モードが選択されている場合、リアルタイムクロックＩＣ２０は、毎分０
０秒ちょうどになると、００秒の合図信号を演算ＩＣ１０に送信し、演算ＩＣ１０は、こ
の合図信号を受信し、描画ＩＣ３０に対して表示部４への駆動パルスの印加（送信）を指
示する。描画ＩＣ３０は、この指示を受けて表示部４に駆動パルスを印加（送信）し、表
示部４は、駆動パルスを受けて新規画像（１分が経過した時刻を含む画像）を表示する。
このように、分更新モードにおいて、表示部４の画像更新をリアルタイムクロックＩＣ２
０が送信する正確な合図信号に同期させることで、描画ＩＣ３０が生成する非同期のクロ
ック信号に同期させる場合と比較して、より正確なタイミングで時刻表示が変わり始める
ようにすることができる。
【００５３】
温度計測ＩＣ４０は、温度センサー４１を含んで構成されている。温度計測ＩＣ４０は
、演算ＩＣ１０から電力を供給されて動作し、演算ＩＣ１０からの要求に応じて温度セン
サー４１によって温度を計測し、温度計測ＩＣ４０に内蔵するＡ／Ｄ変換器（不図示）で
温度計測値をデジタル値に変換して演算ＩＣ１０に送信する処理を行う。
【００５４】
リセットＩＣ５０は、操作ボタンＡ（５ａ）及び操作ボタンＢ（５ｂ）に対する所定の
押下操作（例えば、同時に所定時間以上長押し）が行われた場合に、リセットＩＣ５０に
内蔵のＣＲ回路（不図示）により所定時間だけリセット信号を発生させて演算ＩＣ１０に
供給する。
【００５５】
慣性センサー７０は、慣性を利用して物理量又は物理現象など（加速度、傾斜角、衝撃
、振動、回転など）を検出するセンサーである。慣性センサー７０としては、例えば、加
速度センサーや角速度センサーなどを採用することができる。慣性センサー７０は、検出
結果を演算ＩＣ１０に出力する。
【００５６】
３．表示部及び描画ＩＣの構成
図３は、本実施形態の表示部４及び描画ＩＣ３０の構成を示す図である。図３に示すよ
うに、本実施形態の表示部４は、アクティブマトリックス方式の電気泳動表示パネル（Ｅ
ＰＤパネル）であり、文字、数字、写真、模様、イラスト等の様々な画像を表示可能であ
る。
【００５７】
表示部４には、データ線駆動回路１０１及び走査線駆動回路１０２が設けられている。
また、表示部４には、データ線駆動回路１０１から延びる複数のデータ線１１１と、走査
線駆動回路１０２から延びる複数の走査線１１２とが形成されており、これらの交差位置
に対応して複数の画素１０３が設けられている。
【００５８】
データ線駆動回路１０１は、ｎ本のデータ線１１１（Ｘ１、Ｘ２、・・・、Ｘｎ）によ
り各画素１０３に接続されている。データ線駆動回路１０１は、描画ＩＣ３０が内蔵する
コントローラー３１の制御に従って、画素１０３のそれぞれに対応する１ビットの画像デ
ータを規定する画像信号を画素１０３に供給する。なお、本実施形態では、データ線駆動
回路１０１は、画素データ「０」を規定する場合には、ローレベルの画像信号を画素１０
３に供給し、画素データ「１」を規定する場合には、ハイレベルの画像信号を画素１０３
に供給するものとする。
【００５９】
走査線駆動回路１０２は、ｍ本の走査線１１２（Ｙ１、Ｙ２、・・・、Ｙｍ）により各
画素１０３に接続されている。走査線駆動回路１０２は、コントローラー３１の制御に従
って１行目からｍ行目までの走査線１１２を順次選択することで、画素１０３に設けられ
た駆動用ＴＦＴ１０４（図４参照）のオンタイミングを規定する選択信号を供給する。
【００６０】
表示部４には、描画ＩＣ３０のＶＤＤＸ端子を介してコントローラー３１から延びる高
電位電源線２０５が設けられており、この高電位電源線２０５はデータ線駆動回路１０１
と接続されている。また、表示部４には、描画ＩＣ３０のＶＤＤＹ端子を介してコントロ
ーラー３１から延びる高電位電源線２０６が設けられており、この高電位電源線２０６は
走査線駆動回路１０２と接続されている。コントローラー３１は、高電位電源線２０５，
２０６に高電位（５Ｖ）を供給するか否かの制御を行う。
【００６１】
また、表示部４には、描画ＩＣ３０のＶＳＳＸ端子を介してコントローラー３１から延
びる低電位電源線２０７が設けられており、この低電位電源線２０７はデータ線駆動回路
１０１と接続されている。また、表示部４には、描画ＩＣ３０のＶＳＳＹ端子を介してコ
ントローラー３１から延びる低電位電源線２０８が設けられており、この低電位電源線２
０８は走査線駆動回路１０２と接続されている。コントローラー３１は、低電位電源線２
０７，２０８に低電位（０Ｖ）を供給する。
【００６２】
また、表示部４には、描画ＩＣ３０のＶＣＯＭ端子、Ｓ１端子、Ｓ２端子、ＶＥＰ端子
、ＶＳＳ端子を介して、それぞれ、共通電源変調回路３７から延びる共通電極配線２００
、第１パルス信号線２０１、第２パルス信号線２０２、高電位電源線２０３、低電位電源
線２０４が設けられており、それぞれの配線は画素１０３と接続されている。共通電源変
調回路３７は、コントローラー３１の制御に従って上記配線のそれぞれに供給する各種信
号を生成する一方、これら各配線の電気的な接続及び切断（ハイインピーダンス化、Ｈｉ
−Ｚ）を行う。
【００６３】
描画ＩＣ３０は、コントローラー３１、フラッシュＲＯＭ３２、発振回路３３、ＶＲＡ
Ｍ３４、ＲＡＭ３５、昇圧回路３６及び共通電源変調回路３７を含んで構成されている。
コントローラー３１は、イネーブル端子ＸＰＤＷに演算ＩＣ１０からイネーブル信号（ハ
イレベルの信号）が入力されるまではパワーオフ状態であり、イネーブル信号が入力され
るとパワーオンする。コントローラー３１は、パワーオン状態の時、ＲＡＭ３５を作業領
域として、フラッシュＲＯＭ３２、発振回路３３、ＶＲＡＭ３４、昇圧回路３６及び共通
電源変調回路３７を制御し、表示部４に画像を表示させるための各処理を行う。
【００６４】
図４は、図３に示した画素１０３の回路構成図である。なお、図３と同じ配線には同じ
番号を付しており、説明は省略する。また、全画素に共通の共通電極配線２００について
は記載を省略している。
【００６５】
図４に示すように、画素１０３には、駆動用ＴＦＴ（Thin Film Transistor）１０４と
、ラッチ回路１０５と、スイッチ回路１０６が設けられている。画素１０３は、ラッチ回
路１０５により画像信号を電位として保持するＳＲＡＭ（Static Random Access Memory
）方式の構成となっている。
【００６６】
駆動用ＴＦＴ１０４は、Ｎチャネル型ＭＯＳ（Metal Oxide Semiconductor）トランジ
スターからなる画素スイッチング素子である。駆動用ＴＦＴ１０４のゲート端子は走査線
１１２に接続され、ソース端子はデータ線１１１に接続され、ドレイン端子はラッチ回路
１０５のデータ入力端子に接続されている。ラッチ回路１０５は転送インバーター１０５
ｔと帰還インバーター１０５ｆとを備えている。転送インバーター１０５ｔ、帰還インバ
ーター１０５ｆには、高電位電源線２０３と低電位電源線２０４との電位差に相当する電
源電圧が供給される。
【００６７】
スイッチ回路１０６は、トランスミッションゲートＴＧ１、ＴＧ２からなり、ラッチ回
路１０５に記憶された画素データのレベルに応じて、画素電極１３５（図５（Ｂ）、図５
（Ｃ）参照）に信号を出力する。
【００６８】
ラッチ回路１０５に画素データ「１」（ハイレベルの画像信号）が記憶されて、トラン
スミッションゲートＴＧ１がオン状態となると、スイッチ回路１０６は第１パルス信号線
２０１に伝搬する信号を出力する。一方、ラッチ回路１０５に画素データ「０」（ローレ
ベルの画像信号）が記憶されて、トランスミッションゲートＴＧ２がオン状態となると、
スイッチ回路１０６は第２パルス信号線２０２に伝搬する信号を出力する。このような回
路構成により、それぞれの画素１０３の画素電極１３５に対して供給する電位が制御可能
となる。
【００６９】
表示部４は、一対の基板間に電気泳動粒子を含む電気泳動素子１３２を挟持し、少なく
とも第１色と第２色を表示可能な画素６３を有して構成されていてもよい。本実施形態で
は、表示部４は、二粒子系マイクロカプセル型の複数の電気泳動素子１３２を有し、各電
気泳動素子１３２に電界をかけることで各画素１０３の色が制御される。図５（Ａ）は、
本実施形態の電気泳動素子１３２の構成を示す図である。電気泳動素子１３２は素子基板
１３０と対向基板１３１（図５（Ｂ）、図５（Ｃ）参照）との間に配置されている。電気
泳動素子１３２は、複数のマイクロカプセル１２０を配列して構成される。マイクロカプ
セル１２０には、例えば無色透明な分散液と、複数の白色の電気泳動粒子（白色粒子１２
７）と、複数の黒色の電気泳動粒子（黒色粒子１２６）とが封入されている。本実施形態
では、白色粒子１２７は負に帯電しており、黒色粒子１２６は正に帯電している。なお、
電気泳動粒子の色は黒色及び白色に代えて、赤色及び白色など、他の組み合わせであって
もよい。また、本明細書においてある物が「無色」とは、その物を介して対象物を見た場
合に、その物を介さずに見た場合と比較して、対象物の色が実質的に同じと認識できる状
態を言う。また、ある物が「透明」であるとは、その物を介して対象物を視認可能な状態
を言う。
【００７０】
図５（Ｂ）は、表示部４の部分断面図である。素子基板１３０と対向基板１３１は、マ
イクロカプセル１２０を配列してなる電気泳動素子１３２を狭持している。表示部４は、
素子基板１３０の電気泳動素子１３２側に、複数の画素電極１３５が形成された駆動電極
層３５０が設けられている。図５（Ｂ）では、画素電極１３５として画素電極１３５Ａと
画素電極１３５Ｂが示されている。画素電極１３５により、画素ごとに電位（例えば、Ｖ
ａ、Ｖｂ）を供給することが可能である。ここで、画素電極１３５Ａを有する画素を画素
１０３Ａとし、画素電極１３５Ｂを有する画素を画素１０３Ｂとする。画素１０３Ａ、画
素１０３Ｂは画素１０３（図３、図４参照）に対応する２つの画素である。
【００７１】
一方、対向基板１３１は透明基板であり、表示部４において対向基板１３１側に画像表
示がなされる。表示部４は、対向基板１３１の電気泳動素子１３２側に、平面形状の共通
電極１３７が形成された共通電極層３７０が設けられている。なお、共通電極１３７は透
明電極である。共通電極１３７は、画素電極１３５と異なり全画素に共通の電極であり、
電位ＶＣＯＭが供給される。
【００７２】
共通電極層３７０と駆動電極層３５０との間に設けられた電気泳動表示層３６０に電気
泳動素子１３２が配置されており、電気泳動表示層３６０が表示領域となる。画素電極１
３５（例えば、１３５Ａ、１３５Ｂ）と共通電極１３７との間の電位差に応じて、画素毎
に所望の色を表示させることができる。
【００７３】
図５（Ｂ）は、共通電極側の電位ＶＣＯＭが画素１０３Ａの画素電極１３５Ａの電位Ｖ
ａ及び画素１０３Ｂの画素電極１３５Ｂの電位Ｖｂよりも高電位の状態を示している。こ
のとき、画素電極１３５Ａ，１３５Ｂと共通電極１３７との間には、電位ＶＣＯＭを基準
として負の電圧が印加されるため、負に帯電した白色粒子１２７が共通電極１３７側に引
き寄せられ、正に帯電した黒色粒子１２６が画素電極１３５Ａ，１３５Ｂ側に引き寄せら
れ、画素１０３Ａ，１０３Ｂは白色（第１色の一例）を表示していると視認される。
【００７４】
図５（Ｃ）は、図５（Ｂ）の状態から、共通電極１３７側の電位ＶＣＯＭが画素１０３
Ａの画素電極１３５Ａの電位Ｖａよりも低電位となり、画素１０３Ｂの画素電極１３５Ｂ
の電位Ｖｂと同電位となった状態を示している。このとき、画素電極１３５Ａと共通電極
１３７との間には、電位ＶＣＯＭを基準として正の電圧が印加されるため、正に帯電した
黒色粒子１２６が共通電極１３７側に引き寄せられ、負に帯電した白色粒子１２７が画素
電極１３５Ａ側に引き寄せられ、画素１０３Ａは白色から黒色（第２色の一例）に変化し
たと視認される。一方、画素電極１３５Ｂと共通電極１３７との間では、電位差が生じて
いないため、黒色粒子１２６と白色粒子１２７は図５（Ｂ）の位置でほとんど移動せず、
画素１０３Ａは白色のまま変化していないと視認される。
【００７５】
なお、画素電極１３５と共通電極１３７との電位差の大きさあるいは電位差を生じさせる
時間を制御することで、黒色粒子１２６と白色粒子１２７を両電極間の任意の中間位置で
静止させれば、黒色と白色の間の任意の中間色（灰色）を表示させることもできる。
【００７６】
このように、ＥＰＤパネルは、一定時間、電力が供給されなくても画像を保持できるた
め低消費電力動作が可能であり、また、液晶パネルに比べて高コントラストであり、１８
０度視認可能であるため、腕時計等の携帯型の腕時計１の表示部４としての使用にも適し
ている。
【００７７】
４．画像更新方法
図６は、表示部４の画像を更新する方法について説明するための図である。図６では、
１分毎に時刻表示を更新する例が示されている。
【００７８】
図６の例では、まず、時刻が１０時５分の時に、表示部４には、「１０：０５」の表示
位置にある画素が黒色であり、その他の画素が白色である画像Ａが表示されている。
【００７９】
次に、時刻が１０時６分になる少し前に、表示部４には、全面黒色の画像Ｂが表示され
る。画像Ａから画像Ｂに更新する際は、まず、黒色の画素には電圧を印加せずに（０Ｖを
印加して）白色の画素に負の電圧を印加する部分駆動方式により全面黒色の画像を表示さ
せ、さらに、すべての画素に負の電圧を印加する全面駆動方式により全面黒色の画像を再
表示させる。全面駆動方式とは、当該方式を用いた駆動（描画）の期間において、すべて
の画素に（共通電極１３７と画素電極１３５との間の）電位差が生じる駆動方式である。
【００８０】
次に、表示部４には、全面白色の画像Ｃが表示される。画像Ｂから画像Ｃに更新する際
は、まず、すべての画素に正の電圧を印加する全面駆動方式により全面白色の画像を表示
させ、次に、画像Ａにおいて白色だった画素には電圧を印加せずに（０Ｖを印加して）画
像Ａにおいて黒色だった画素に正の電圧を印加する部分駆動方式により全面白色の画像を
再表示させる。部分駆動方式とは、当該方式を用いた駆動（描画）の期間において、（共
通電極１３７と画素電極１３５との間の）電位差が生じないと画素が存在する駆動方式で
ある。
【００８１】
次に、時刻が１０時６分になると、表示部４には、「１０：０６」の表示位置にある画
素が黒色であり、その他の画素が白色である画像Ｄが表示される。画像Ｃから画像Ｄに更
新する際は、「１０：０６」の表示位置にない画素には電圧を印加せずに（０Ｖを印加し
て）「１０：０６」の表示位置にある画素に負の電圧を印加する部分駆動方式により画像
Ｄを表示させる。
【００８２】
このように、本実施形態では、部分駆動方式と全面駆動方式により全面黒色の画像を表
示させ、さらに全面駆動方式と部分駆動方式により全面白色の画像を表示させることで元
の画像を消去し、その後、部分駆動方式により次の画像（新規画像）を表示させる。すな
わち、本実施形態の画像更新方法によれば、全画素が白色の状態から次の画像が表示され
るため、画像毎に色合いが変わるという問題が生じにくい。また、本実施形態の画像更新
方法によれば、各画素電極１３５と共通電極１３７との間に印加される電界の時間平均が
ほぼゼロになり、ＤＣバランスがとられるため、電気泳動表示装置７の長期信頼性を確保
することができる。
【００８３】
ところで、表示部４（ＥＰＤパネル）に対して、画像を消去し、あるいは新規画像を描
画するために必要な駆動時間（駆動パルスの印加時間）は、温度に応じて変化し、一般に
、温度が低いほど長い駆動時間が必要になる。そこで、本実施形態では、画像を更新する
際に温度に応じて駆動時間を変更するために、演算ＩＣ１０が内蔵するフラッシュＲＯＭ
１２には、温度と駆動パルスの印加時間との対応関係を示すテーブル情報が記憶されてい
る。
【００８４】
演算ＩＣ１０は、画像を更新する前に温度計測ＩＣ４０の温度計測値を取得し、フラッ
シュＲＯＭ１２に記憶されているテーブル情報を参照し、例えば、描画ＩＣ３０に表示部
４への画像データの転送を指示する際に、温度に応じた適切な駆動パルスの印加時間を指
示する。
【００８５】
５．表示モードの遷移
図７は、表示部４の表示モードの遷移を示す図である。図７に示される例では、表示部
４は、表示モードとして、第１モード、第２モード及び第３モードを有している。なお、
表示部４は、第１モード及び第２モードのみを有していてもよい。
【００８６】
本実施形態では、第１モードの状態でユーザーが操作ボタンＡを押して離すと、演算Ｉ
Ｃ１０は第２モードへ切り替えて表示部４を制御する。また、第２モード又は第３モード
の状態でユーザーが操作ボタンＡを押して離すと、演算ＩＣ１０は第１モードへ切り替え
て表示部４を制御する。また、第２モードに切り替えた後に所定時間を経過した場合には
、演算ＩＣ１０は第３モードへ切り替えて表示部４を制御する。
【００８７】
６．表示モードの詳細
図８（Ａ）は、第１モードにおける表示例を示す図、図８（Ｂ）は、第２モードにおけ
る表示例を示す図である。
【００８８】
本実施形態における表示部４は、文字の上下方向（図８（Ａ）における２点鎖線方向）
が第１方向１００１に沿った第１文字４０１を含む第１画像を表示する第１モードと、文
字の上下方向（図８（Ｂ）における２点鎖線方向）が第２方向１００２に沿った第２文字
４０２を含む第２画像を表示する第２モードと、を有する。
【００８９】
第１文字４０１は、第１モードで表示される第１画像に含まれる１又は複数の文字のう
ち任意に選択された１文字であってもよい。以下では、図８（Ａ）における第１文字４０
１は「１」の文字であるものとして説明する。
【００９０】
第２文字４０２は、第２モードで表示される第２画像に含まれる１又は複数の文字のう
ち任意に選択された１文字であってもよい。以下では、図８（Ｂ）における第２文字４０
２は「１」の文字であるものとして説明する。
【００９１】
図８（Ａ）に示されるように、第１文字４０１の上端４０１ａと下端４０１ｂとは、第
１方向１００１に離間している。換言すれば、第２方向１００２をｘ軸、第１方向１００
１をｙ軸とした場合におけるｘ−ｙ平面上の座標で表現した場合に、第１文字４０１の上
端４０１ａと下端４０１ｂとは、ｙ座標の値が異なる。なお、ｘ座標の値は、同一の値で
あっても異なる値であってもよい。
【００９２】
図８（Ｂ）に示されるように、第２文字４０２の上端４０２ａと下端４０２ｂとは、第
２方向１００２に離間している。換言すれば、第２方向１００２をｘ軸、第１方向１００
１をｙ軸とした場合におけるｘ−ｙ平面上の座標で表現した場合に、第２文字４０２の上
端４０２ａと下端４０２ｂとは、ｘ座標の値が異なる。なお、ｙ座標の値は、同一の値で
あっても異なる値であってもよい。
【００９３】
第１文字４０１の上下方向は、例えば、第１文字４０１が文字として通常認識される上
下方向としてもよいし、簡易的に上端４０１ａと下端４０１ｂとを結ぶ直線方向としても
よい。
【００９４】
第２文字４０２の上下方向は、例えば、第２文字４０２が文字として通常認識される上
下方向としてもよいし、簡易的に上端４０２ａと下端４０２ｂとを結ぶ直線方向としても
よい。
【００９５】
表示部４は、第１モードにおいて、第１方向１００１と、第１文字４０１の上下方向と
のなす角が、０度以上４５度以下である第１画像を表示し、第２モードにおいて、第２方
向１００２と、第２文字４０２の上下方向とのなす角が、０度以上４５度以下である第２
画像を表示してもよい。
【００９６】
図８（Ａ）に示される例では、第１方向１００１と、第１文字４０１の上下方向とのな
す角は０度である。また、図８（Ｂ）に示される例では、第２方向１００２と、第２文字
４０２の上下方向とのなす角は０度である。
【００９７】
図９（Ａ）は、第１モードにおける他の表示例を示す図、図９（Ｂ）は、第２モードに
おける他の表示例を示す図である。以下では、図９（Ａ）における第１文字４０１は「１
」の文字であるものとして説明する。また、図９（Ｂ）における第２文字４０２は「１」
の文字であるものとして説明する。
【００９８】
図９（Ａ）に示されるように、第１文字４０１の上端４０１ａと下端４０１ｂとは、第
１方向１００１に離間している。換言すれば、第２方向１００２をｘ軸、第１方向１００
１をｙ軸とした場合におけるｘ−ｙ平面上の座標で表現した場合に、第１文字４０１の上
端４０１ａと下端４０１ｂとは、ｙ座標の値が異なる。なお、ｘ座標の値は、同一の値で
あっても異なる値であってもよい。
【００９９】
図９（Ｂ）に示されるように、第２文字４０２の上端４０２ａと下端４０２ｂとは、第
２方向１００２に離間している。換言すれば、第２方向１００２をｘ軸、第１方向１００
１をｙ軸とした場合におけるｘ−ｙ平面上の座標で表現した場合に、第２文字４０２の上
端４０２ａと下端４０２ｂとは、ｘ座標の値が異なる。なお、ｙ座標の値は、同一の値で
あっても異なる値であってもよい。
【０１００】
図９（Ａ）に示される例では、第１方向１００１と、第１文字４０１の上下方向（図９
（Ａ）における２点鎖線方向）とのなす角は１０度である。また、図９（Ｂ）に示される
例では、第２方向１００２と、第２文字４０２の上下方向とのなす角は１０度である。
【０１０１】
図８（Ａ）及び図９（Ａ）に示されるように、第１モードの場合には、第１文字４０１
の上下方向が概ねバンド３の長手方向となるので、腕に装着された状態で見やすい表示と
なる。
【０１０２】
図８（Ｂ）及び図９（Ｂ）に示されるように、第２モードの場合には、第２文字４０２
の上下方向が概ねバンド３の長手方向と交差する方向となるので、腕に装着されていない
状態（例えば、図１Ｂに示されるように、バンド３を丸めて平面上に腕に装着された場合
に対して表示部４が横向きになるように置いた場合など）で見やすい表示となる。
【０１０３】
図１０（Ａ）は、第１モードにおける他の表示例を示す図、図１０（Ｂ）は、第２モー
ドにおける他の表示例を示す図である。図１０（Ａ）及び図１０（Ｂ）に示される例は、
第１モードで表示される第１画像及び第２モードで表示される第２画像に文字が含まれて
いない例である。
【０１０４】
表示部４は、第１モードにおいて、第１方向１００１と、第１画像の上下方向（図１０
（Ａ）における２点鎖線方向）とのなす角が、０度以上４５度以下である第１画像を表示
し、第２モードにおいて、第２方向１００２と、第２画像の上下方向（図１０（Ｂ）にお
ける２点鎖線方向）とのなす角が、０度以上４５度以下である第２画像を表示してもよい
。
【０１０５】
第１画像及び第２画像の上下方向は、例えば、画像として通常認識される上下方向とし
てもよい。図１０（Ａ）及び図１０（Ｂ）に示される例では、第１画像及び第２画像に含
まれる雪だるまの絵の向きで、通常は上下方向が認識される。これによって、図１０（Ａ
）及び図１０（Ｂ）に示されるように、第１画像及び第２画像に等方的なデザインのアナ
ログ時計の絵が含まれている場合でも、ユーザーは適切な向きで時刻を認識することがで
きる。
【０１０６】
図１０（Ａ）に示される例では、第１方向１００１と、第１画像の上下方向とのなす角
は０度である。また、図１０（Ｂ）に示される例では、第２方向１００２と、第２画像の
上下方向とのなす角は０度である。
【０１０７】
このように、本実施形態によれば、例えば、第１モードでは腕に装着された状態で見や
すい表示にすることができ、第２モードでは腕に装着されていない状態（例えば、図１Ｂ
に示されるように、バンド３を丸めて平面上に腕に装着された場合に対して表示部４が横
向きになるように置いた場合など）で見やすい表示にすることができる。したがって、腕
に装着されていない状態においても使いやすい腕時計１（腕装着型の電子機器）を実現で
きる。
【０１０８】
ここで、仮に、腕時計の表示部として液晶パネルを用いる場合を考える。液晶パネルの
場合には、腕に装着された状態で表示内容を最も識別しやすいように液晶パネルの指向性
が設定されているのが通常である。この場合には、腕に装着されていない状態（例えば、
図１Ｂに示されるように、バンドを丸めて平面上に腕に装着された場合に対して表示部が
横向きになるように置いた場合など）では、腕に装着された状態に比べて表示内容を識別
しにくくなる。このため、特に、図１Ｂに示されるように、バンドを丸めて平面上に腕に
装着された場合に対して表示部が横向きになるように置いた場合で腕時計を使用すること
を想定した設計は困難であった。
【０１０９】
本実施形態においては、表示部４が広視野角（例えば、視野角１８０度）の電気泳動表
示パネルで構成されているので、図１Ｂに示されるように、バンドを丸めて平面上に横向
きに置いた場合であっても、表示内容を識別しやすい腕時計１を実現できる。
【０１１０】
なお、腕時計１を横向きに置く場所は、表示部４を横向きにした状態で安定させること
ができる限り、平面上に限定されない。例えば、腕時計１を置く面に多少の凹凸があって
も構わない。
【０１１１】
表示部４は、第２モードにおいて、または、第１モードから第２モードへ切り替えてか
ら所定時間が経過した後に、第２文字４０２と、温度センサー４１で検出した温度に関す
る情報４０３とを表示してもよい。所定時間が経過した後に温度に関する情報４０３を表
示するモードは、第２モードの一部であっても、第２モードとは別の第３モードであって
もよい。
【０１１２】
図１１は、第３モードにおける表示例（第３画像の一例）を示す図である。図１１に示
される例では、図８（Ｂ）に示される例と同様の第２文字４０２と、温度に関する情報４
０３として「２５℃」の文字が表示されている。温度に関する情報４０３は、文字に限ら
ず、例えば、目盛り表示やアイコン表示（一例として、図１０の雪だるま）など、温度の
目安となる表示形態を用いて表示されてもよい。
【０１１３】
腕時計１（腕装着型の電子機器）が腕に装着された状態では、体温の影響が大きいので
、周囲環境の温度を適切に表示することは難しい。本実施形態によれば、腕に装着されて
いない時に温度を表示するので、第１モードで温度を表示する場合と比較して、周囲環境
の温度を適切に表示できる。
【０１１４】
また、本実施形態によれば、腕に装着されていない状態となってから所定時間を経過し
た後に温度を表示するので、周囲環境の温度を適切に表示できる。
【０１１５】
表示部４は、操作部（操作ボタンＡ（５ａ）又は操作ボタンＢ（５ｂ））が受け付ける
操作に基づいて、第１モードと第２モードとを切り替えてもよい。より具体的には、操作
部が受け付ける操作に基づいて、演算ＩＣ１０がモードを切り替えるか否かを判定し、演
算ＩＣ１０によって表示部４が制御される。例えば、表示部４は、操作ボタンＡ（５ａ）
が操作された場合には、操作ボタンＡ（５ａ）が上向きとなるように第２画像を表示し、
操作ボタンＢ（５ｂ）が操作された場合には、操作ボタンＢ（５ｂ）が上向きとなるよう
に第２画像を表示してもよい。また例えば、操作ボタンＡ（５ａ）が一度操作された場合
には操作ボタンＡ（５ａ）が上向きとなるように第２画像を表示し、操作ボタンＡ（５ａ
）が二度操作された場合には操作ボタンＢ（５ｂ）が上向きとなるように第２画像を表示
してもよい。また例えば、操作ボタンＡ（５ａ）又は操作ボタンＢ（５ｂ）が操作された
場合に、バンド３の文字の上向きと沿うように予め設定された向きを上向きとして、第２
画像を表示してもよい。
【０１１６】
本実施形態によれば、慣性センサーなどの出力結果に基づいて第１モードと第２モード
とを切り替える場合に比べて、低消費電力で実現できる。また、ユーザーが希望するとき
に第１モードと第２モードとを切り替えて表示させることができる。
【０１１７】
表示部４は、慣性センサー７０の検出結果に基づいて、第１モードと第２モードとを切
り替えてもよい。より具体的には、慣性センサー７０の検出結果に基づいて、演算ＩＣ１
０がモードを切り替えるか否かを判定し、演算ＩＣ１０によって表示部４が制御される。
例えば、加速度センサーで検出される重力加速度の向きや、加速度センサー及び角速度セ
ンサーで検出される腕時計１の運動状態に基づいて、第１モードと第２モードとを切り替
えてもよい。運動状態は、例えば、検出される加速度や角速度の変化量に基づいて判定さ
れる、腕時計１が静止しているか否か、あるいは、腕時計１の向きが回転されたか否か、
などの状態である。
【０１１８】
本実施形態によれば、ユーザーの操作に基づいて第１モードと第２モードとを切り替え
る場合に比べて、ユーザーの操作を減らすことができる。
【０１１９】
上述した実施形態においては、表示部４として電気泳動表示パネルを用いた例について
説明したが、これに限らず、他の広視野角の表示パネル（例えば、有機エレクトロルミネ
ッセンスやエレクトロクロミックディスプレイなど）を用いてもよい。
【０１２０】
上述した実施形態および変形例は一例であって、これらに限定されるわけではない。例
えば、各実施形態および各変形例を適宜組み合わせることも可能である。
【０１２１】
本発明は、実施の形態で説明した構成と実質的に同一の構成（例えば、機能、方法及び
結果が同一の構成、あるいは目的及び効果が同一の構成）を含む。また、本発明は、実施
の形態で説明した構成の本質的でない部分を置き換えた構成を含む。また、本発明は、実
施の形態で説明した構成と同一の作用効果を奏する構成又は同一の目的を達成することが
できる構成を含む。また、本発明は、実施の形態で説明した構成に公知技術を付加した構
成を含む。
【符号の説明】
【０１２２】
１…腕時計、２…時計ケース、３…バンド、４…表示部、５ａ…操作ボタンＡ、５ｂ…操
作ボタンＢ、６…駆動装置、７…電気泳動表示装置、１０…演算ＩＣ、１２…フラッシュ
ＲＯＭ、２０…リアルタイムクロックＩＣ、２２…タイマー、２４…水晶振動子、３０…
描画ＩＣ、３１…コントローラー、３２…フラッシュＲＯＭ、３３…発振回路、３４…Ｖ
ＲＡＭ、３５…ＲＡＭ、３６…昇圧回路、３７…共通電源変調回路、４０…温度計測ＩＣ
、４１…温度センサー、５０…リセットＩＣ、６０…一次電池、７０…慣性センサー、１
０１…データ線駆動回路、１０２…走査線駆動回路、１０３，１０３Ａ，１０３Ｂ…画素
、１０４…駆動用ＴＦＴ、１０５…ラッチ回路、１０６…スイッチ回路、１１１…データ
線、１１２…走査線、１２０…マイクロカプセル、１２６…黒色粒子、１２７…白色粒子
、１３０…素子基板、１３１…対向基板、１３２…電気泳動素子、１３５，１３５Ａ，１
３５Ｂ…画素電極、１３７…共通電極、２００…共通電極配線、２０１…第１パルス信号
線、２０２…第２パルス信号線、２０３…高電位電源線、２０４…低電位電源線、３０３
…第３文字、３５０…駆動電極層、３６０…電気泳動表示層、３７０…共通電極層、４０
１…第１文字、４０１ａ…上端、４０１ｂ…下端、４０２…第２文字、４０２ａ…上端、
４０２ｂ…下端、４０３…温度に関する情報、１００１…第１方向、１００２…第２方向
【図１Ａ】
2015138119.tif 000003
【図１Ｂ】
2015138119.tif 000004
【図２】
2015138119.tif 000005
【図３】
2015138119.tif 000006
【図４】
2015138119.tif 000007
【図５】
2015138119.tif 000008
【図６】
2015138119.tif 000009
【図７】
2015138119.tif 000010
【図８】
2015138119.tif 000011
【図９】
2015138119.tif 000012
【図１０】
2015138119.tif 000013
【図１１】
2015138119.tif 000014